(57)【特許請求の範囲】
【請求項１】
相対する土手部と該土手部より高さの高い相対する土手部を有する底部と、前記相対する土手部にヒンジ連結された一方の相対する側壁と、前記高さの高い土手部にヒンジ連結されたもう一方の相対する側壁とを有し、折り畳まれた状態から、先ず最初に、前記高さの高い土手部にヒンジ連結されたもう一方の相対する側壁を垂直に立て、次いで、前記相対する土手部にヒンジ連結された一方の相対する側壁を垂直に立てることにより、箱型に組み立てるように構成された折り畳みコンテナーにおいて、折り畳まれた状態から先に立てられる前記もう一方の相対する側壁の両端には、該側壁の板状部に対して垂直な屈曲端部が形成されており、該屈曲端部には、水平な係合突起が形成されているとともに、該係合突起の上下には透孔が穿設されており、また、折り畳まれた状態から後に立てられる前記一方の相対する側壁には、該側壁の板状部を延在することにより係合枠部が形成されているとともに、該係合枠部には、先端の係止突起が向き合うように形成された一対の係止片が形成されており、箱型に組み立てられた際には、前記一方の相対する側壁に形成された係合枠部の一対の係止片が、前記もう一方の相対する側壁に形成された屈曲端部の透孔に挿入されるとともに、前記係合枠部に形成された一対の係止片の係止突起が、前記屈曲端部に形成された係合突起の背面に係止されるように構成されており、更に、折り畳まれた状態においては、前記もう一方の相対する側壁に形成された屈曲端部が、前記底部の相対する土手部の垂直外壁面から上方に延在する外壁の内側に、凹みを形成することにより構成された嵌合凹部に嵌合されるように構成されていることを特徴とする折り畳みコンテナー。
【請求項２】
屈曲端部が形成された側壁に、持ち手開口部が形成されていることを特徴とする請求項１に記載の折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来，平面形状が略長方形に形成された底部の相対する長辺部に、ヒンジ部を介して連結された長側壁と、同じく上記底部の相対する短辺部に、ヒンジ部を介して連結されるとともに、作業者の指が挿入可能な持ち手開口部を有する、平面形状が略コの字状の短側壁とからなる折り畳みコンテナーが知られている（例えば、実開昭６２−１５０３２１号公報等）。折り畳み状態においては、底部の上に長側壁が重なるように折り畳まれ、更にその上に、短側壁が折り畳まれており、そして、折り畳まれた状態の短側壁を、底部に対して垂直に立て、次いで、折り畳まれた状態の長側壁を、底部に対して垂直に立てることにより、箱型の折り畳みコンテナーに組み立てられるように構成されている。
【０００３】
【発明が解決しようとする課題】
従来の折り畳みコンテナーにおいては、短側壁が、折り畳みコンテナーが組み立てられた際に、短側壁の両端から長側壁方向に延在する屈曲端部を有しており、平面形状が略コの字状に形成されているために、折り畳みコンテナーを折り畳んだ際には、短側壁の屈曲端部の分だけ、折り畳みコンテナーの折り畳み高さが高くなり、従って、折り畳まれた折り畳みコンテナーの保管スペースが増大し、保管効率が低下するという問題があった。
【０００４】
本発明の目的は、上述した従来の折り畳みコンテナーが有する課題を解決することにある。
【０００５】
【課題を解決するための手段】
本発明は、上述した目的を達成するために、相対する土手部と該土手部より高さの高い相対する土手部を有する底部と、前記相対する土手部にヒンジ連結された一方の相対する側壁と、前記高さの高い土手部にヒンジ連結されたもう一方の相対する側壁とを有し、折り畳まれた状態から、先ず最初に、前記高さの高い土手部にヒンジ連結されたもう一方の相対する側壁を垂直に立て、次いで、前記相対する土手部にヒンジ連結された一方の相対する側壁を垂直に立てることにより、箱型に組み立てるように構成された折り畳みコンテナーにおいて、第１には、折り畳まれた状態から先に立てられる前記もう一方の相対する側壁の両端には、該側壁の板状部に対して垂直な屈曲端部が形成されており、該屈曲端部には、水平な係合突起が形成されているとともに、該係合突起の上下には透孔が穿設されており、また、折り畳まれた状態から後に立てられる前記一方の相対する側壁には、該側壁の板状部を延在することにより係合枠部が形成されているとともに、該係合枠部には、先端の係止突起が向き合うように形成された一対の係止片が形成されており、箱型に組み立てられた際には、前記一方の相対する側壁に形成された係合枠部の一対の係止片が、前記もう一方の相対する側壁に形成された屈曲端部の透孔に挿入されるとともに、前記係合枠部に形成された一対の係止片の係止突起が、前記屈曲端部に形成された係合突起の背面に係止されるように構成されており、更に、折り畳まれた状態においては、前記もう一方の相対する側壁に形成された屈曲端部が、前記底部の相対する土手部の垂直外壁面から上方に延在する外壁の内側に、凹みを形成することにより構成された嵌合凹部に嵌合されるように構成したものであり、第２には、屈曲端部が形成された側壁に、持ち手開口部を形成したものである。
【０００６】
【実施例】
以下に、本発明の実施例について説明するが、本発明の趣旨を越えない限り何ら、本実施例に限定されるものでない。
【０００７】
１は、平面形状が長方形状の底部であり、底部１の相対する長辺部１ａには、後述するヒンジ部を介して長側壁２が連結されており、また、底部１の相対する短辺部１ｂには、同じくヒンジ部を介して短側壁３が連結されている。
【０００８】
図１に示されているように、箱型に組み立てられた状態の折り畳みコンテナーを折り畳むには、先ず最初に、長側壁２を折り畳みコンテナーの内側に倒して、図２に示されているように、底部１の上に重ねる。次いで、同じく、短側壁３を折り畳みコンテナーの内側に倒して、図３に示されているように、底部１及び長側壁２の上に重ねる。逆に、図３に示されている折り畳まれた状態から、図１に示されているように組み立てるには、底部１及び長側壁２の上に重ねられた状態の短側壁３を垂直に立て、次いで、長側壁２を垂直に立てて、折り畳みコンテナーを箱型に組み立てる。
【０００９】
次に、主として、図４及び図５を用いて、底部１について説明する。
【００１０】
底部１の長辺部１ａには、土手部１ｃが形成されており、土手部１ｃの垂直外壁面は、上方に延在する外壁１ｄが形成されているとともに、外壁１ｄには、外壁１ｄの中央部１ｄ’を挟んで、一対の嵌合凹部１ｅが形成されている。また、土手部１ｃの嵌合凹部１ｅが形成されていない垂直内壁面には、後述する適当数のヒンジ雌部４（本実施例には、３個のヒンジ雌部４が形成されている例が示されている。）が形成されている。
【００１１】
底部１の短辺部１ｂにも、土手部１ｆが形成されており、該土手部１ｆの高さは、上述した長辺部１ａ側の土手部１ｃより、高く構成されている。土手部１ｆの垂直外壁面には、上述した長辺部１ａ側の外壁１ｄより高い外壁１ｇが上方に延設されているとともに、土手部１ｆの垂直内壁面には、長辺部１ａ側に形成されたヒンジ雌部４と同様のヒンジ雌部４（本実施例には、４個のヒンジ雌部４が形成されている例が示されている。）が形成されている。また、底部１の下面には、下方に突出した底部嵌合部１ｈが形成されており、底部嵌合部１ｈの裏面には、必要に応じて、縦横に走る補強リブ１ｈ’が形成されている。
【００１２】
底部１の短辺部１ｂに形成された土手部１ｆの上面の適当な箇所には、外壁１ｇを越えて上方に延在する突出部５ａを有するとともに、該突出部５ａの内側を切り欠くことにより形成された、外壁１ｇの上端と略同じ高さを有する載置面５ｂを有する短辺側係止ブロック５が形成されている。また、底部１の短辺部１ｂに形成された土手部１ｆと、底部１の長辺部１ａに形成された土手部１ｃとにより形成される底部１の４つの角部には、外壁１ｇを越えて上方に延在する突出部６ａを有するとともに、該突出部６ａの内側を切り欠くことにより形成された、外壁１ｇの上端と略同じ高さを有する載置面６ｂとを有する角部係止ブロック６が形成されている。
【００１３】
次に、主として、図１、図６及び図７を用いて短側壁３について説明する。
【００１４】
短側壁３は、横長の方形状の板状部３ａと、板状部３ａの下端から外方向に向かって延在する下部水平枠３ｂを有しており、下部水平枠３ｂの下面には、底部１の短辺部１ｂ側に形成されたヒンジ雌部４に対応して、ヒンジ雄部７が形成されている。ヒンジ雄部７は、下部水平枠３ｂの下面に垂下された、板状部３ａに対して直交する一対の垂直片７ａと、一対の垂直片７ａ間に配設された水平ピン７ｂとから構成されている。また、短側壁３には、下部水平枠３ｂが上方に折り曲げられたようにして形成された、下部が開放された凹部３ｃが形成されており、この凹部３ｃには、折り畳みコンテナーが組み立てられて、短側壁３が底部１に対して垂直に立てられた際に、底部１に形成された短辺側係止ブロック５が、短側壁３に干渉することなく入り込むことができるように構成されている。更に、板状部３ａの上端には、上部水平枠３ｄが形成されており、また、下部水平枠３ｂと上部水平枠３ｄの両端及びその中間を連結する垂直枠３ｅが、適当数、設けられている。
【００１５】
短側壁３を構成する板状部３ａの垂直端の上部には、板状部３ａに対して垂直な屈曲端部３ｆが、長側壁２方向に延在している。屈曲端部３ｆには、嵌合透孔３ｇが形成されており、また、嵌合突起３ｇの下方には、水平方向に内側に延在する係合突起３ｈが形成さており、更に、係合突起３ｈの上下には、透孔３ｉが穿設されている。また、板状部３ａの中央部上方には、作業者の指が挿入可能な持ち手開口部３ｊが形成されている。
【００１６】
次に、主として、図１、図８及び図９を用いて長側壁２について説明する。
【００１７】
長側壁２は、横長の方形状の板状部２ａと、板状部２ａの下端から外方向に向かって延在する下部水平枠２ｂを有しており、下部水平枠２ｂの下面には、底部１の長辺部１ａ側に形成されたヒンジ雌部４に対応して、上述したような、一対の垂直片７ａと、一対の垂直片７ａ間に配設された水平ピン７ｂとからなるヒンジ雄部７が形成されている。
【００１８】
２ｃは、板状部２ａの上端から外方向に向かって延在する上部水平枠であり、２ｄは、下部水平枠２ｂと上部水平枠２ｃの両端を連結する垂直枠である。２ｅは、垂直枠２ｄの外側に延在する、板状部２ａを延長することにより形成された係合枠部であり、垂直枠２ｄの略半分の厚さを有している。係合枠部２ｅは、折り畳みコンテナーが組み立てられた際に、上述した短側壁３に形成された屈曲端部３ｆに当接或いは接近するような位置に形成されている。２ｆは、係合枠部２ｅに形成された、外側に延在する嵌合突起であり、短側壁３の屈曲端部３ｆに形成された嵌合透孔３ｇに挿入されるように構成されている。また、嵌合突起２ｆの下方には、先端に係止突起２ｇ’が向き合うように形成された、一対の係止片２ｇが、略水平方向に外側に向かって延在されており、この一対の係止片２ｇ間には、短側壁３の屈曲端部３ｆに形成された係合突起３ｈが挿入され、係止片２ｇの先端部が、係合突起３ｈの上下に穿設された透孔３ｉに挿入されるとともに、係合枠部２ｅに形成された係止片２ｇの係止突起２ｇ’が、短側壁３に形成された係合突起２ｆの背面に係止されるように構成されている。なお、２ｈは、垂直枠２ｄの外側に形成された延長側壁部であり、折り畳みコンテナーが組み立てられた際に、短側壁３の屈曲端部３ｆと底部１とにより形成される凹部に嵌合されるように構成されている。
【００１９】
上述したヒンジ雌部４は、図４に示されているように、底部１の長辺部１ａ側の土手部１ｃ及び底部１の短辺部１ｂ側の土手部１ｆの上面から上方に延在する板状片４ａと、板状片４ａの上部に形成されているとともに、底部１の長辺部１ａ側の外壁１ｄ及び底部１の短辺部１ｂ側の外壁１ｇ方向にその先端が延在するフック４ｂとから構成されており、上記外壁１ｄ、１ｇとフック４ｂの自由端との間には、ヒンジ雄部７の水平ピン７ｂが通過可能な間隙が形成されている。
【００２０】
底部１に長側壁２をヒンジ結合させるには、長側壁２を、上方から下降させて、長側壁２に形成されたヒンジ雄部７の水平ピン７ｂを、外壁１ｄとフック４ｂの自由端との間に形成された間隙を通過させることにより、ヒンジ雄部７の水平ピン７ｂを、底部１の長辺部１ａ側に形成されたヒンジ雌部４のフック４ｂに係合させることによりヒンジ結合させる。同様に、底部１に短側壁３をヒンジ結合させるには、短側壁２を、上方から下降させて、短側壁３に形成されたヒンジ雄部７の水平ピン７ｂを、外壁１ｇとフック４ｂの自由端との間に形成された間隙を通過させることにより、ヒンジ雄部７の水平ピン７ｂを、底部１の短辺部１ｂ側に形成されたヒンジ雌部４のフック４ｂに係合させることによりヒンジ結合させる。このようにして、折り畳みコンテナーを組み立てる。
【００２１】
図１に示されているように、折り畳みコンテナーが組み立てられた状態から、図３に示されているように折り畳むには、上述したように、先ず最初に、長側壁２を折り畳みコンテナーの内側に倒して、図２に示されているように、底部１の上に重ねる。次いで、同じく、短側壁３を折り畳みコンテナーの内側に倒して、底部１及び長側壁２の上に重ねるが、この際、短側壁３に形成された屈曲端部３ｆが、図３及び図７に示されているように、底部１の長辺部１ａ側土手部１ｃの外壁１ｄに形成された嵌合凹部１ｅに嵌合されるように構成されている。このように、短側壁３に形成された屈曲端部３ｆが、底部１の長辺部１ａ側土手部１ｃの外壁１ｄに形成された嵌合凹部１ｅに嵌合されるように構成されているので、短側壁３がヒンジ結合されている底部１の短辺部１ｂ側の土手部１ｆの高さを、屈曲端部３ｆと嵌合凹部１ｅの嵌合代分だけ、低くすることができ、従って、全体として、折り畳まれた折り畳みコンテナーの高さを、従来の折り畳みコンテナーに比べ低くすることができる。
【００２２】
図３に示されている折り畳まれた状態から、図１に示されているように組み立てるには、底部１及び長側壁２の上に重ねられた状態の短側壁３を垂直に立て、次いで、長側壁２を垂直に立てるが、この際、長側壁２に形成された係合枠部２ｅが、短側壁３に形成された屈曲端部３ｆに当接或いは接近する過程で、長側壁２の係合枠部２ｅに形成された嵌合突起２ｆが、短側壁３の屈曲端部３ｆに形成された嵌合透孔３ｇに挿入されるとともに、長側壁２の係合枠部２ｅに形成された一対の係止片２ｇ間に、短側壁３の屈曲端部３ｆに形成された係合突起３ｈが挿入され、係合枠部２ｅに形成された係止片２ｇの係止突起２ｇ’が、短側壁３に形成された係合突起２ｆの背面に係止されて、組み立てられた状態の折り畳みコンテナーの長側壁２が、短側壁３に対して、簡単に、内側に倒れないように構成されている。
【００２３】
また、折り畳みコンテナーが組み立てられた状態においては、短側壁３に形成された屈曲端部３ｆが、長側壁２の係合枠部２ｅに当接或いは接近するとともに、短側壁３に形成された屈曲端部３ｆの垂直先端面３ｆ’が、長側壁２の下部水平枠２ｂと上部水平枠２ｃの両端を連結する垂直枠２ｄの垂直外壁面２ｄ’に対面するように構成されているので、短側壁３に形成された持ち手開口部３ｊに手を入れて、折り畳みコンテナーを持ち上げた際に、短側壁３に内側に向かう負荷が加わっても、短側壁３に形成された屈曲端部３ｆの垂直先端面３ｆ’が、長側壁２の垂直枠２ｄの垂直外壁面２ｄ’に当接し、短側壁３が内側に倒れるようなことがないので、長側壁２と短側壁３との係合状態が解除されるようなことが防止できる。
【００２４】
折り畳まれた状態の折り畳みコンテナーを、段積みする際には、上に位置する折り畳みコンテナーの底部１の底部嵌合部１ｈを、下に位置する折り畳まれた状態の折り畳みコンテナーの底部１に形成された短辺側係止ブロック５の載置面５ｂ及び角部係止ブロック６の載置面６ｂに載置することにより、上に位置する折り畳みコンテナーの底部１の横方向の移動が、短辺側係止ブロック５の突出部５ａ及び角部係止ブロック６の突出部６ａにより制限されるように構成されているので、安定した状態で、多数の折り畳まれた状態の折り畳みコンテナーを段積みすることができる。
【００２５】
図１０に示されている実施例は、底部１の長辺部１ａ側の外壁１ｄを切り欠くことにより形成された嵌合凹部１ｅに代えて、外壁１ｄを切り欠くことなく、外壁１ｄの内側に凹みを形成することにより、嵌合凹部１ｅを形成したものである。このように構成することにより、外壁１ｄに切り欠き部が形成されていないので、底部１の長辺部１ａ側の剛性を高めることができ、底部１の全体剛性が向上する。
【００２６】
【発明の効果】
本発明は、以上説明した構成を有しているので、以下に記載する効果を奏するものである。
【００２７】
一方の相対する側壁の両端に、折り畳みコンテナーが組み立てられた際に、もう一方の相対する側壁方向に延在する屈曲端部を形成するとともに、もう一方の相対する側壁がヒンジ結合されている底部に、屈曲端部が嵌合可能な嵌合凹部を形成したので、折り畳まれた折り畳みコンテナーの高さを、従来の折り畳みコンテナーに比べ低くすることができ、従って、折り畳まれた折り畳みコンテナーの保管効率を高めることができる。
【００２８】
嵌合凹部が、外壁の内側に凹みを形成することにより構成されているので、底部の剛性を高めることができる。
【００２９】
屈曲端部が形成された側壁に、持ち手開口部を形成したので、持ち手開口部に手を入れて、折り畳みコンテナーを持ち上げた際に、上記側壁に内側に向かう負荷が加わっても、上記側壁が内側に倒れるようなことがないので、側壁同士の係合状態が解除されるようなことが防止できる。
【図面の簡単な説明】
【図１】図１は本発明の折り畳みコンテナーの組み立てられた状態の斜視図である。
【図２】図２は本発明の折り畳みコンテナーの組み立て途中の斜視図である。
【図３】図３は本発明の折り畳みコンテナーの折り畳まれた状態の斜視図である。
【図４】図４は本発明の折り畳みコンテナーの底部の斜視図である。
【図５】図５は本発明の折り畳みコンテナーの折り畳まれた状態の裏面斜視図である。
【図６】図６は本発明の折り畳みコンテナーの短側壁の部分斜視図である。
【図７】図７は本発明の折り畳みコンテナーの折り畳まれた状態の部分斜視図である。
【図８】図８は本発明の折り畳みコンテナーの長側壁の部分斜視図である。
【図９】図９は本発明の折り畳みコンテナーの長側壁側の正面図である。
【図１０】図１０は本発明の別の実施例の折り畳みコンテナーの折り畳まれた状態の部分斜視図である。
【符号の説明】
１・・・・・・・・・・・・底部
１ｅ・・・・・・・・・・・嵌合凹部１ｅ
２・・・・・・・・・・・・長側壁
３・・・・・・・・・・・・短側壁
３ｆ・・・・・・・・・・・屈曲端部
４・・・・・・・・・・・・ヒンジ雌部
７・・・・・・・・・・・・ヒンジ雄部
【図１】
0004287023.tif 000002
【図２】
0004287023.tif 000003
【図３】
0004287023.tif 000004
【図４】
0004287023.tif 000005
【図５】
0004287023.tif 000006
【図６】
0004287023.tif 000007
【図７】
0004287023.tif 000008
【図８】
0004287023.tif 000009
【図９】
0004287023.tif 000010
【図１０】
0004287023.tif 000011